(57)【要約】 【課題】  逆浸透膜フィルタを用いてミネラルを含む浄水を作ることができる逆浸透膜浄水システムの提供【解決手段】  水道水や地下水等の原水Ｍを濾過する前処理フィルタ１と、前処理フィルタ１で処理された水を濾過して純水を得る逆浸透膜フィルタ２と、逆浸透膜フィルタ２を通過した純水を最終濾過する後処理フィルタ４とを備えた逆浸透膜浄水システムにおいて、逆浸透膜フィルタ２の下流側水路中に紫外線殺菌装置４とオゾン発生装置５と、ミネラル供給装置６と、浄水後の水の収容容器Ｂへの供給部１２と、を備える。【選択図】      図１
2013184078.tif 000002
【特許請求の範囲】
【請求項１】
水道水や地下水等の原水を濾過する前処理フィルタと、前処理フィルタで処理された水を濾過して純水を得る逆浸透膜フィルタと、逆浸透膜フィルタを通過した純水を最終濾過する後処理フィルタとを備えた逆浸透膜浄水システムにおいて、
前記後処理フィルタの下流側水路中に紫外線殺菌装置とオゾン発生装置と、ミネラル供給装置と、浄水後の水の収容容器への供給部と、を備えたことを特徴とする逆浸透膜浄水システム。
【請求項２】
請求項１記載の逆浸透膜浄水システムにおいて、
前記後処理フィルタの下流側水路から分岐された分岐水路に後処理フィルタを通過した純水を貯水するタンクを備えることを特徴とする逆浸透膜浄水システム。
【請求項３】
請求項２に記載の逆浸透膜浄水システムにおいて、
前記タンク内に紫外線殺菌装置を備えることを特徴とする逆浸透膜浄水システム
【請求項４】
請求項１〜３のいずれか１項に記載の逆浸透膜浄水システムにおいて、
前記ミネラル供給装置の供給水路には紫外線殺菌装置を備えることを特徴とする逆浸透膜浄水システム。
【請求項５】
請求項１〜４のいずれか１項に記載の逆浸透膜浄水システムにおいて、
前記ミネラル供給装置は、複数種類のミネラルのうち、任意のミネラルを選択して供給可能であることを特徴とする逆浸透膜浄水システム。
【請求項６】
請求項１〜５のいずれか１項に記載の逆浸透膜浄水システムにおいて、
前記ミネラル供給装置で供給されるミネラルが水溶性植物ミネラルであり、
前記ミネラル供給装置の供給水路に酸化還元フィルタが介装されていることを特徴とする逆浸透膜浄水システム。
【請求項７】
請求項１〜６のいずれか１項に記載の逆浸透膜浄水システムにおいて、
前記水路中に水のアルカリ還元装置が介装されていることを特徴とする逆浸透膜浄水システム。
【請求項８】
請求項１〜７のいずれか１項に記載の逆浸透膜浄水システムにおいて、
前記前処理フィルタ、逆浸透膜フィルタ、後処理フィルタ、紫外線殺菌装置、オゾン発生装置、ミネラル供給装置及び浄水後の水の収容容器への供給部等の全てがクリーンルーム内に設置されていることを特徴とする逆浸透膜浄水システム。
【請求項９】
請求項８記載の逆浸透膜浄水システムにおいて、
前記浄化された水の収容容器への供給部付近から、該水を収容した収容容器を前記クリーンルーム外へ自動搬送する搬送手段が備えられていることを特徴とする逆浸透膜浄水システム。
【発明の詳細な説明】
【技術分野】
【０００１】
本発明は、水道水や地下水等の原水から逆浸透膜フィルタを用いてミネラルを含む殺菌された浄水を作るための逆浸透膜浄水システムに関する。
【背景技術】
【０００２】
従来、逆浸透膜フィルタを用いた浄水システムとしては、特許文献１に記載の技術が公知になっている。
すなわち、この従来の逆浸透膜フィルタを用いた浄水システムは、水道水等の原水を、前処理フィルタ、逆浸透膜フィルタ、後処理フィルタを通過させて浄水を作るようになっている。
【先行技術文献】
【特許文献】
【０００３】
【特許文献１】特開平９−２６７０８９号公報
【発明の概要】
【発明が解決しようとする課題】
【０００４】
しかしながら、従来例の逆浸透膜フィルタを用いた浄水システムにあっては、水道水等の原水に含まれる有効ミネラル分まで濾過されたいわゆる純水状態であるため、飲料水には適しないという問題点があった。
【０００５】
本発明の解決しようとする課題は、逆浸透膜フィルタを用いてミネラルを含む殺菌された浄水を作ることができる逆浸透膜浄水システムを提供することにある。
【課題を解決するための手段】
【０００６】
上記課題を解決するため請求項１記載の逆浸透膜浄水システムは、
水道水や地下水等の原水を濾過する前処理フィルタと、前処理フィルタで処理された水を濾過して純水を得る逆浸透膜フィルタと、逆浸透膜フィルタを通過した純水を最終濾過する後処理フィルタと、を備えた逆浸透膜浄水システムにおいて、
前記後処理フィルタの下流側水路中に紫外線殺菌装置とオゾン発生装置と、ミネラル供給装置と、浄水後の水の収容容器への供給部を備えたことを特徴とする手段とした。
【０００７】
また、請求項２記載の逆浸透膜浄水システムは、請求項１記載の逆浸透膜浄水システムにおいて、
前記後処理フィルタの下流側水路から分岐された分岐水路に後処理フィルタを通過した純水を貯水するタンクを備えることを特徴とする手段とした。
【０００８】
また、請求項３記載の逆浸透膜浄水システムは、請求項２に記載の逆浸透膜浄水システムにおいて、
前記タンク内に紫外線殺菌装置を備えることを特徴とする手段とした。
【０００９】
また、請求項４記載の逆浸透膜浄水システムは、請求項１〜３のいずれか１項に記載の逆浸透膜浄水システムにおいて、
前記ミネラル供給装置の供給水路には紫外線殺菌装置を備えることを特徴とする手段とした。
【００１０】
また、請求項５記載の逆浸透膜浄水システムは、請求項１〜４のいずれか１項に記載の逆浸透膜浄水システムにおいて、
前記ミネラル供給装置は、複数種類のミネラルのうち、任意のミネラルを選択して供給可能であることを特徴とする手段とした。
【００１１】
また、請求項６記載の逆浸透膜浄水システムは、請求項１〜５のいずれか１項に記載の逆浸透膜浄水システムにおいて、
前記ミネラル供給装置で供給されるミネラルが水溶性植物ミネラルであり、
前記ミネラル供給装置の供給水路及び/又はオゾン発生装置の上流側水路に酸化還元フィルタが介装されていることを特徴とする手段とした。
【００１２】
また、請求項７記載の逆浸透膜浄水システムは、請求項１〜６のいずれか１項に記載の逆浸透膜浄水システムにおいて、
前記水路中に水の電気アルカリ還元装置が介装されていることを特徴とする手段とした。
【００１３】
また、請求項８記載の逆浸透膜浄水システムは、請求項１〜７のいずれか１項に記載の逆浸透膜浄水システムにおいて、
前記前処理フィルタ、逆浸透膜フィルタ、後処理フルタ、紫外線殺菌装置、オゾン発生装置、ミネラル供給装置及び浄水後の水の収容容器への供給部等の全てがクリーンルーム内に設置されていることを特徴とする手段とした。
【００１４】
また、請求項９記載の逆浸透膜浄水システムは、請求項８記載の逆浸透膜浄水システムにおいて、
前記浄化された水の収容容器への供給部付近から、該水を収容した収容容器を前記クリーンルーム外へ自動搬送する搬送手段が備えられていることを特徴とする手段とした。
【発明の効果】
【００１５】
請求項１記載の逆浸透膜浄水システムでは、上述のように、後処理フィルタの下流側水路中に紫外線殺菌装置とオゾン発生装置と、ミネラル供給装置とを備えたことで、逆浸透膜フィルタを用いてミネラルを含む殺菌された浄水を作ることができるようになるという効果が得られる。
また、オゾン発生装置を備えることで、オゾンを含む浄水が収容容器内に供給されるため、収容容器内を殺菌処理することができるようになる。
【００１６】
請求項２記載の逆浸透膜浄水システムでは、上述のように、後処理フィルタの下流側水路から分岐された分岐水路に後処理フィルタを通過した純水を貯水するタンクを備えるため、逆浸透膜フィルタで濾過された純水を貯め置くことができる。
【００１７】
請求項３記載の逆浸透膜浄水システムでは、上述のように、タンク内に紫外線殺菌装置を備えることで、タンク内に貯め置いた純水を常に殺菌状態に維持させることができる。
【００１８】
請求項４記載の逆浸透膜浄水システムでは、上述のように、ミネラル供給装置の供給水路には紫外線殺菌装置を備えることで、殺菌状態のミネラルを供給することができる。
【００１９】
請求項５記載の逆浸透膜浄水システムでは、上述のように、ミネラル供給装置は、複数種類のミネラルのうち、任意のミネラルを選択して供給可能としたため、飲料として使用する人の要望に応じ、任意のミネラルを含む浄水を作ることができるようになる。
【００２０】
請求項６記載の逆浸透膜浄水システムでは、上述のように、ミネラル供給装置で供給されるミネラルが水溶性植物ミネラルであり、ミネラル供給装置の供給水路及び/又はオゾン発生装置の上流側水路に酸化還元フィルタが介装されている構成としたことで、水溶性植物ミネラルを酸化還元した状態、すなわち生体水と共通した性質を有する水の状態で供給することができるようになる。
【００２１】
請求項７記載の逆浸透膜浄水システムでは、上述のように、水路中に電気アルカリ還元装置が介装されている構成としたことで、アルカリ還元された浄水を得ることができるようになる。
【００２２】
請求項８記載の逆浸透膜浄水システムでは、上述のように、前処理フィルタ、逆浸透膜フィルタ、後処理フィルタ、紫外線殺菌装置、オゾン発生装置、ミネラル供給装置及び浄水後の水の収容容器への供給部等の全てがクリーンルーム内に設置されているため、浄水された水を収容容器内に無菌状態で収容することができる。
【００２３】
請求項９記載の逆浸透膜浄水システムでは、上述のように、浄化された水の収容容器への供給部付近から、該水を収容した収容容器を前記クリーンルーム外へ自動搬送する搬送手段が備えられることにより、作業者はクリーンルーム外に出ることなしに収容容器内への水の収容から収容容器のクリーンルーム外への搬送作業を無菌状態で連続的に行うことができるようになる。
【図面の簡単な説明】
【００２４】
【図１】実施例１の逆浸透膜浄水システムを示す全体図である。
【図２】実施例２の逆浸透膜浄水システムを示す全体図である。
【発明を実施するための形態】
【００２５】
以下にこの発明の実施例を図面に基づいて説明する。
【実施例１】
【００２６】
この逆浸透膜浄水システムは、図１に示すように、水道水や地下水等の原水Ｍを濾過する前処理フィルタ１と、前処理フィルタ１で処理された水を濾過して純水を得る逆浸透膜フィルタ２と、逆浸透膜フィルタ２を通過した純水を最終濾過する後処理フィルタ３と、紫外線殺菌装置４と、オゾン発生装置５と、ミネラル供給装置６と、を主な構成として備える。
【００２７】
さらに詳述すると、前記後処理フィルタ２の下流側水路から分岐された分岐水路に後処理フィルタ２を通過した純水を貯水するタンク７を備え、該タンク７内には紫外線殺菌装置８を備える。
【００２８】
また、前記ミネラル供給装置６は、複数種類の水溶性植物ミネラルのうち、任意のミネラルを選択して供給可能となっており、ミネラル供給装置６の供給水路には紫外線殺菌装置９を備えている。
【００２９】
また、ミネラル供給装置６の供給水路と、オゾン発生装置５の上流側に酸化還元フィルタ１０が介装されている。なお、この酸化還元フルタ１０は、１つのみ用い、切り替え弁で切り替えて使用するようにしてもよい。
また、ミネラル供給装置６から供給される水路部分より上流側には、電気アルカリ還元装置１１が介装されている。
また、開閉弁１９と前処理フィルタ１との間の水路には水道水を貯水するタンク２４が介装されている。
【００３０】
また、前記前処理フィルタ１、逆浸透膜フィルタ２、後処理フィルタ３、紫外線殺菌装置４、オゾン発生装置５、ミネラル供給装置６、タンク７、紫外線殺菌装置９、酸化還元フィルタ１０、電気アルカリ還元装置１１、タンク２４及び浄水後の水の収容容器Ｂへの供給部１２の全てがクリーンルーム１３内に設置されている。
【００３１】
また、前記浄化された水の収容容器Ｂへの供給部１２付近から、該水を収容した収容容器Ｂを前記クリーンルーム１３外へ自動搬送する搬送手段１４が備えられている。この搬送装置１４は、この実施例１では、浄化された水の収容容器Ｂへの供給部１２から搬出口１５へ向けて下り傾斜のローラー滑り台で構成されている。
【００３２】
なお、図において、１６、１７、１８はポンプ、１９、２０、２１は開閉弁、２２は吸気フィルタ、２３は吸気ファン、２６は逆浸透膜フィルタ２の下流側水路に介装された隔膜式圧力タンクを示す。
【００３３】
次に、この実施例１の作用を説明する。
この実施例１の逆浸透膜浄水システムでは、上述のように構成されるため、まず開閉弁１６を開くと、電気アルカリ還元装置１１でアルカリ水に変換された状態でタンク２４に貯水される。
次に、水道から供給されるアルカリ還元水は、前処理フルタ１を通過して濾過された後、ポンプ１４で逆浸透膜フィルタ２へ向けて圧送され、逆浸透膜フィルタ２を通過した純水は、隔膜式圧力タンク２６内に圧力状態で貯留されていく一方、後処理フィルタ３で最終濾過された状態でタンク７内に収容されていく。そして、このタンク７内において紫外線殺菌装置８で殺菌された状態で貯水される。
次に、開閉弁２１、２２を開くと、タンク７内に収容された殺菌された純水がさらに紫外線殺菌装置４で殺菌され、酸化還元フィルタ１０を通過して酸化還元された後、オゾン発生装置を通過することでさらに殺菌される。
【００３４】
一方、ミネラル供給装置６から供給された水溶性植物ミネラルは、酸化還元フィルタを通過して酸化還元された後、紫外線殺菌装置９で殺菌された状態で、前記オゾン発生装置５を通過した純水と混合され、水の収容容器Ｂへの供給部１２において、収容容器Ｂ内に無菌状態で収容される。
次に、浄水を収容した収容容器Ｂは、作業者により搬送装置１４に移されてクリーンルーム１３外に自動搬送される。
【００３５】
次に、この実施例１の効果を説明する。
この実施例１の逆浸透膜浄水システムでは、上述のように、後処理フィルタ３の下流側水路中に紫外線殺菌装置４と、オゾン発生装置５と、ミネラル供給装置６とを備えたことで、逆浸透膜フィルタ２を用いてミネラルを含む殺菌された浄水を作ることができるようになるという効果が得られる。
また、オゾン発生装置５を備えることで、オゾンを含む浄水が収容容器Ｂの内に供給されるため、収容容器Ｂ内を殺菌処理することができるようになる。
【００３６】
また、後処理フィルタ３の下流側水路から分岐された分岐水路に後処理フィルタ３を通過した純水を貯水するタンク７を備えるため、逆浸透膜フィルタ２で濾過された純水を貯め置くことができる。
【００３７】
また、タンク７内に紫外線殺菌装置８を備えることで、タンク７内に貯め置いた純水を常に殺菌状態に維持させることができる。
また、逆浸透膜フィルタ２の下流側に隔膜式圧力タンク２６が介装されることで、ポンプのオン・オフ回数を少なくすることができるようになる。
【００３８】
また、ミネラル供給装置６の供給水路には紫外線殺菌装置９を備えることで、殺菌状態の水溶性植物ミネラルを供給することができる。
【００３９】
また、ミネラル供給装置６は、複数種類の水溶性植物ミネラルのうち、任意のミネラルを選択して供給可能としたため、飲料として使用する人の要望に応じ、任意のミネラルを含む浄水を作ることができるようになる。
【００４０】
また、ミネラル供給装置６で供給されるミネラルが水溶性植物ミネラルであり、ミネラル供給装置６の供給水路及び/又はオゾン発生装置の上流側水路に酸化還元フィルタ１０が介装されている構成としたことで、水溶性植物ミネラルを酸化還元した状態、すなわち生体水と共通した性質を有する水の状態で供給することができるようになる。
【００４１】
また、水路中に水の電気アルカリ還元装置１１が介装されているため、アルカリ還元された浄水を得ることができるようになる。
【００４２】
また、前処理フィルタ１、逆浸透膜フィルタ２、後処理フィルタ３、タンク７、紫外線殺菌装置４、酸化還元装置１０、オゾン発生装置５、ミネラル供給装置６、酸化還元フィルタ１０、紫外線殺菌装置９、タンク２４、隔膜式圧力タンク２６及び浄水後の水の収容容器Ｂへの供給部１２の全てがクリーンルーム１３内に設置されているため、浄水された水を収容容器Ｂ内に無菌状態で収容することができる。
【００４３】
また、浄化された水の収容容器Ｂへの供給部１２付近から、該水を収容した収容容器Ｂを前記クリーンルーム１３外へ自動搬送する搬送手段１４が備えられることにより、作業者はクリーンルーム１３外に出ることなしに収容容器Ｂ内への水の収容から収容容器Ｂのクリーンルーム１３外への搬送作業を無菌状態で連続的に行うことができるようになる。
なお、図示は省略したが、クリーンルーム１３内への作業者の出入を行う開閉扉を備えている。
【００４４】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００４５】
この実施例２は、実施例１における逆浸透膜浄水システムの変形例を示すものであり、図２に示すように、紫外線殺菌装置４の下流側とタンク７との間を接続するバイパス流路２５を備えた点で、上記実施例１とは相違したものである。
【００４６】
すなわち、この実施例２では、後処理フィルタ３を通過した純水は紫外線殺菌装置４を経由して酸化還元フィルタ１０に送られると共に、タンク７内を経由して酸化還元フィルタ１０に送られる。
【００４７】
従って、この実施例２では、タンク７を経由する水の流れがスムーズになるという追加の効果が得られる。
【００４８】
以上本実施例を説明してきたが、本発明は上述の実施例に限られるものではなく、本発明の要旨を逸脱しない範囲の設計変更等があっても、本発明に含まれる。
【００４９】
また、実施例では、ミネラル供給装置６をオゾン発生装置の下流側水路に接続したが、上流側に接続してもよい。
【００５０】
また、実施例では、紫外線殺菌装置９をミネラル供給装置６の下流側に設けたが、複数種類の各ミネラル室内に設けてもよい。
【００５１】
また、実施例では、搬送装置１４として、傾斜による落差を利用して搬送するようにしたが、電動で搬送するようにしてもよい。
【００５２】
また、実施例では、クリーンルーム１３内への作業者の出入を行う開閉扉を備える構成としたが、クリーンルーム１３内の水の収容容器Ｂへの供給部１２へ向けて長く突出させた手袋を介してクリーンルーム１３外から収容容器Ｂ内への処理水の供給及びクリーンルーム１３外への搬送作業を行えるようにしてもよい。
【００５３】
また、前処理フィルタ１、逆浸透膜フィルタ２及び後処理フィルタ４の設置本数は任意である。特に逆浸透幕フィルタ２は、処理排水分があるため、複数本数設けられる。
【符号の説明】
【００５４】
１  前処理フィルタ
２  逆浸透膜フィルタ
３  後処理フィルタ
４  紫外線殺菌装置
５  オゾン発生装置
６  ミネラル供給装置
７  タンク
８  紫外線殺菌装置
９  紫外線殺菌装置
１０  酸化還元フィルタ
１１  電気アルカリ還元装置
１２  水の収容容器への供給部
１３  クリーンルーム
１４  搬送手段
１５  搬出口
１６  ポンプ
１７  ポンプ
１８  ポンプ
１９  開閉弁
２０  開閉弁
２１  開閉弁
２２  吸気フィルタ
２３  吸気ファン
２４  タンク
２５  バイバス流路
２６  隔膜式圧力タンク
Ｂ  収容容器
Ｍ  原水
【図１】
2013184078.tif 000003
【図２】
2013184078.tif 000004